(57)【要約】【課題】本発明は、２層に形成された外壁部材（１０）、ならびに同様に２層に形成された天井部材（４０）および屋根部材（５０）からなる建物に関する。【解決手段】熱を供給する手段（３０）は、複数の外壁部材（１０）の下方領域のみに設けられている。
2006507432.tif 000002
【特許請求の範囲】
【請求項１】
外壁部材（１０）、屋根部材（５０）および場合によっては天井部材（４０）からなる建物であって、少なくとも前記外壁部材（１０）は、２層に形成されておりかつ複数のパネル（１１）を有し、これらのパネルは、スペーサ部材（１２）によって互いに間隔をあけて互いに接続されており、前記外壁部材（１０）に少なくとも１つの中空空間（１３）を形成し、前記外壁部材（１０）の複数のパネル（１１）間の前記中空空間（１３）には、前記外壁部材（１０）の前記中空空間に熱を供給する手段（３０）が設けられており、
この熱を供給する前記手段（３０）は、複数の外壁部材（１０）の下方領域のみに設けられていること（図１，３，４ないし７）を特徴とする建物。
【請求項２】
前記熱を供給する手段（３０）は、敷居（２０）に設けられており、この敷居に前記外壁部材（１０）が立設されていること（図２）を特徴とする請求項１に記載の建物。
【請求項３】
前記敷居（２０）は、Ｕ字形の横断面形状を有していること、および前記外壁部材（１０）の前記パネル（１１）は、前記敷居（２０）の、上向きの脚部（２２）に立設されていること（図２）を特徴とする請求項２に記載の建物。
【請求項４】
前記暖房手段（３０）は、棒状の熱源（３１）を有していること（図２）を特徴とする請求項１ないし３のいずれか１に記載の建物。
【請求項５】
前記棒状の熱源（３１）は、電気的な抵抗加熱棒または加熱ワイヤであることを特徴とする請求項４に記載の建物。
【請求項６】
前記棒状の熱源（３１）は、熱媒体が貫流される管（３２）であること（図２）を特徴とする請求項４に記載の建物。
【請求項７】
前記棒状の熱源（３１）は、実質的にＵ字形のホルダー（３３）に挿入されており、このホルダーは前記敷居（２０）の上向きの中空空間に挿入されていること（図２）を特徴とする請求項４または５に記載の建物。
【請求項８】
前記敷居（２０）の前記ホルダー（３３）とウェブ（２１）との間には、絶縁層（３４）が設けられていること（図２）を特徴とする請求項７に記載の建物。
【請求項９】
前記棒状の熱源（３１）のための上向きの収容空間（３６）の脇に設けられた、前記ホルダー（３３）の端面（３５）は、前記敷居（２０）の前記脚部（２２）に向かって傾斜した状態で整列されていること（図２）を特徴とする請求項７または８に記載の建物。
【請求項１０】
前記外壁部材（１０）に接続する前記天井部材（４０）の領域には、複数の開口部（４１）が設けられていること（図４，５）を特徴とする請求項１ないし９のいずれか１に記載の建物。
【請求項１１】
前記開口部（４１）は、前記天井部材（４０）のパネルに設けられていることを特徴とする請求項１０に記載の建物。
【請求項１２】
前記天井部材（４０）の側方端部は、プレート（４２）によって閉じられていること（図４，５）を特徴とする請求項１１または１２に記載の建物。
【請求項１３】
前記屋根部材（５０）の、使用位置が下方のパネルには、複数の空隙（５２）が設けられていること（図６，７）を特徴とする請求項１ないし１２のいずれか１に記載の建物。
【請求項１４】
前記屋根部材（５０）の側方端部は、プレート（５３）によって閉じられていること（図６，７）を特徴とする請求項１３に記載の建物。
【請求項１５】
前記閉鎖プレート（４２）または（５３）は、前記壁部材（１０）の前記外側パネル（１１）と一直線に並んでいること（図４ないし７）を特徴とする請求項１２または１４に記載の建物。
【請求項１６】
前記暖房手段（３０）の前記管（３２）は、前記敷居（２０）の領域で、ホルダー（６１）によって、前記壁部材（１０）の前記中空空間（１３）の下方領域に設けられた長手方向に延びている支持体（６０）に取り付けられていること（図１４）を特徴とする請求項１ないし１５のいずれか１に記載の建物。
【請求項１７】
前記支持体（６０）は異形押縁（６２）に保持されていること（図１４）を特徴とする請求項１６に記載の建物。
【請求項１８】
前記異形押縁（６２）は、水平方向のウェブ（６３）を有し、このウェブには、前記壁部材（１０）の前記パネル（１１）の下端に立設されていることを特徴とする請求項１７に記載の建物。
【請求項１９】
前記異形押縁（６２）は、前記水平方向のウェブ（６３）から突出する複数の脚部（６４）を有し、これら脚部間には、前記長手方向に延びている支持体（６０）が設けられていること（図１４）を特徴とする請求項１７または１８に記載の建物。
【請求項２０】
前記脚部（６４）は、突出部（６５）を介して、前記長手方向に延びている支持体（６０）の側面に接触していること（図１４）を特徴とする請求項１９に記載の建物。
【請求項２１】
前記突出部（６５）は、長手方向に延びているリブであることを特徴とする請求項２０に記載の建物。
【請求項２２】
前記突出部（６５）は、ノッブ状の突出部であることを特徴とする請求項２１に記載の建物。
【発明の詳細な説明】
【技術分野】
【０００１】
本発明は、外壁部材、屋根部材および場合によっては天井部材からなる建物に関し、少なくとも外壁部材は２層に形成されておりかつ複数のパネルを有し、これらのパネルは、スペーサ部材によって互いに間隔をあけて互いに接続されており、外壁部材に少なくとも１つの中空空間を形成し、外壁部材の複数のパネルの間の中空空間には、外壁部材の中空空間に熱を供給する手段が設けられている。
【背景技術】
【０００２】
WO 02/22975 A1には、前提部分に記載の建物に関して、複数の中空空間を、適切な冷暖房手段に接続することによって、少なくとも２層に形成された壁部材の複数のパネルの間の中間空間を、建物の暖房または冷房のために用いるという思想が記述されている。
【０００３】
DE 198 01 165 Cも、中空壁に暖房手段を設けることを提案する。この場合、暖房手段が、暖房される壁に広い面で接触しているパネルを有していることが意図されている。
【０００４】
CH 687 884 Aからは、中空壁の内部に複数の据付通路を設けることが公知である。
【発明の開示】
【発明が解決しようとする課題】
【０００５】
WO 02/22975 A1から公知の建物を、熱伝導が、外壁を形成するパネルによって、少なくとも縮小される方向に、改善するという課題が、本発明の基礎になっている。
【課題を解決するための手段】
【０００６】
この課題は、本発明に基づいて、熱を供給する手段が、複数の外壁部材の下方領域のみに設けられていることによって、解決される。
【０００７】
本発明の好ましくかつ好都合な他の実施の形態は、従属請求項の主題である。
【０００８】
本発明に係わる建物の場合に、外壁および／または内壁を形成する壁部材が、暖房手段を有しているので、壁部材に形成された中空空間に熱を供給して、熱損失は減少され、または正しく補償されるという可能性が存する。この場合、まず第１に、壁部材の中空空間に設けられた暖房手段による熱供給を、建物も暖房されるように、大きく選択することは考えられない。
【０００９】
本発明では、暖房手段の暖房部材は、外壁部材の中空空間の下方領域に設けられている。暖房部材が「敷居」の領域に設けられており、この敷居には外壁部材が立設されていることは、好都合である。
【００１０】
本発明の他の詳細、特徴および利点は、本発明の好ましい実施の形態の、図面を参照した以下の記述から、明らかである。
【発明を実施するための最良の形態】
【００１１】
本発明に係わる建物は、図に示された実施の形態では、外壁部材、内壁部材、天井部材および／または屋根部材からなっている。これらの部材は、少なくとも２層に形成されている。従って、本発明に係わる建物の部材の各々は、少なくとも１つの外側パネルと、少なくとも１つの内側パネルと、スペーサ・ブロックまたはスペーサ押縁のようなスペーサ部材とからなっている。これらのスペーサ部材は、間隔をあけて、部材のパネルを互いに接続している。
【００１２】
本発明に係わる建物の外壁部材、内壁部材、天井部材および／または屋根部材を構成するパネルは木製材料からなり、この場合、チップボードが重要である。本発明の枠内では、多層パネル（ＯＳＢパネル）の形の、チップボードが好ましい。これらのチップボードは、予め定められた形および厚さを有している、長くて、細い、整列された木材チップおよび接着剤から製造されている。
【００１３】
外層の木材チップは、パネルの長さまたはパネルの幅に平行に整列されていてもよい。中間層の木材チップは偶然的に整列されていてもよく、あるいは、一般的には、外層の木材チップに直角に整列されている。
【００１４】
本発明のためには、予め定められた形および厚さを有している、長くて、細い、整列された木材チップからなるチップボードも、用いることができる。これらの木材チップは接着剤で結合されており、単層パネル（ＵＳＢパネル）を形成する。この単層パネルでは、木材チップの整列はパネルの厚さ全体に亘って実質的に均一である。前記多層パネル（ＯＳＢパネル）の場合のような、横方向に向けられた中間層は、これらのチップボードの場合には、設けられていない。
【００１５】
押縁またはブロックのようなスペーサ部材は、木製材料から、例えば、適切に裁断されたチップボードからなってもよい。スペーサ部材（押縁またはブロック）は、中実木製品であってもよい。
【００１６】
本発明に係わる部材の内側パネルおよび外側パネルが接着剤でスペーサ部材と結合されていることは、好ましい。ねじ、釘等も設けられていてもよい。しかし、ねじ、釘等は、まず第１に、接着層が固まるまで、本発明に係わる部材を押さえつけるために用いられる。
【００１７】
本発明では、天井および屋根を必ずしも暖房または冷房する必要がない。
【００１８】
壁部材が２つの部分にデザインされることは好都合である。この場合、一部分は、壁部材の下端に設けられている敷居部材である。敷居部材および壁部材は、組込み後に、ユニットになっている。敷居部材には、家屋のための暖房手段が統合されていてもよい。
【００１９】
暖房部材が敷居部材の領域に設けられている場合、上昇下降するエア・カラムによって壁部材の中間空間への熱伝導がなされる。
【００２０】
暖房部材（金属またはプラスチックまたは複合材料からなる水の入った管）の流れ温度は、例えば４０°ないし７５℃であってもよい。流れ温度の選択によって、エア・カラムの高さも規定されている。すなわち、所望の高さ、例えば１ｍの高さ、１．５ｍの高さまたは２ｍの高さまで壁が暖房される。
【００２１】
本発明に係わる特徴を有している建物を、外壁および／または内壁を介して暖房することができる。
【００２２】
この暖房手段が空気を循環させるための追加の手段（例えばファン）なしの自然循環暖房であることは、本発明では好都合である。本発明に係わる建物内で発熱部材として見なされる管は、発熱面を拡大するために、追加の熱伝導用薄板または熱伝導用棒をもって形成されていてもよい。
【００２３】
図１が示すように、本発明に係わる建物の外壁を、複数の外壁部材１０から形成することができる。各々の外壁部材１０は、２つのパネル１１からなっている。これらのパネルは、スペーサ押縁１２によって互いに間隔をあけて保たれており、スペーサ押縁１２によって互いに結合されている。
【００２４】
図１で上下に重なり合っている２つの外壁部材１０のうちの下方の外壁部材は、敷居２０に立設されている。この敷居は任意の材料からなってもよく、例えば、木製材料、プラスチック、金属または鉱物性の材料、例えばコンクリート等で製造されていてもよい。
【００２５】
敷居２０は、水平方向に整列された下方のウェブ２１と、上に突出している２つの脚部２２とからなる実質的にＵ字形の横断面形状を有している。下方の外壁部材１０のパネル１１は、敷居２０の脚部２２の、上向きの端部に立設されている。
【００２６】
敷居２０に形成された、上方が開いた中空空間の、その領域には、暖房手段３０が設けられている（図２）。この暖房手段は発熱型の棒３１からなっている。この棒は、図示した実施の形態では、暖房媒体が貫流する管３２である。棒３１はホルダー３３に載置されている。ホルダー自体は、絶縁層３４を介して、敷居２０のウェブ２１の、上向き面に立設されている。暖房用棒３１が、ホルダー３３に設けられた上向きの空隙３６に容易に収容されている、例えば挿入されていることは好ましい。
【００２７】
図１および図２ないし２ｃに示すように、ホルダー３３の上向きの面３５は、傾斜していてもよい。それ故に、ホルダー３３は、壁部材１０を敷居２０に取り付ける際の心出し補助手段としても用いられる。
【００２８】
図２は、図１に示した装置の下部を、拡大して示している。
【００２９】
図２ａに示した実施の形態では、敷居２０の２つの脚部２２従ってまたホルダー３３は、図２に示した実施の形態よりも高く形成されている。
【００３０】
図２ｂには、敷居２０の脚部２２´が取外し可能である実施の形態が示されている。それ故に、壁部材１０が既に敷居２０に立設された後でも、暖房手段３１の管３２は、ホルダー３３に形成された、側方が開いた空隙３６´へ、側方から挿入されることができる。このことは、例えば、後で管３２を挿入または交換することだけでなく、修繕を行なうことも可能にする。
【００３１】
図２ｃは図２ｂの実施の形態の変形を示している。この実施の形態では、ホルダー３３は、図１および２に示した実施の形態のように、管３２を挿入するための、上方が開いた空隙３６を有している。但し、ここでも、敷居２０の脚部２２´が取外し可能に形成されている。
【００３２】
暖房手段３１の管３２は、フィン付きの管３２および／または棒、ディスクまたはプレートの形の外側延長部を有している管であってもよい。その目的は、管３２の発熱面を拡大するためである。ホルダー３０が金属からなるとき、ホルダーも、暖房手段３１の管３２の発熱面の拡張部として作用する。
【００３３】
図３では、２つの上下に設けられた壁部材１０および敷居２０からなる配列が斜視図で示されている。ホルダー３３が敷居２０の長さに亘って配設されており、例えば、複数の（２つの）ホルダー３３のグループに纏められていることが示されている。
【００３４】
暖房用棒３１を通って、壁部材１０の複数のパネルの間の中空空間１３に熱が放出される。この場合、放出される熱の量が、複数の壁部材１０から組み立てられた建物の内部から外へ熱が出るときに生じる熱損失が、正しく補償されるように、選択されることは好ましい。壁部材１０から形成された壁のＫ値が、いわば、ゼロに減少される。
【００３５】
外部温度が、複数の壁部材１０から組み立てられた建物の内部の温度よりも、高い場合にも、同様のことを適用することができる。このような場合に、冷房手段が設けられている。このような冷房手段が、建物の、複数の壁部材１０から組み立てられた壁の上端の領域に設けられていることは好ましい。
【００３６】
ホルダー３３は任意の材料からなっていてもよい。ホルダー３３がプラスチック等または木製材料から形成されていることは好ましい。
【００３７】
熱媒体が貫流される管３２の代わりに、暖房用棒３１が電気的な抵抗加熱棒または抵抗加熱ワイヤであってもよい。
【００３８】
壁部材１０の中空空間を通って上方に流れる、暖められた空気の、図２で矢印２によって示された流れを、複数の天井部材４０によって形成された中間天井の領域で妨げないために、図４および５に示すように、天井部材４０を外壁部材１０に接続する接続領域には、空隙４１が設けられている。このことの結果として、図４および５が示すように、外壁部材１０の中空空間１３を通って上方に流れる、暖められた空気が、天井部材４０によって妨げられないことが生じる。何故ならば、空気は空隙４１を通って上方に流れることができるからである。上下に重なっている複数の壁部材１０の間の天井部材４０の、側方の端面は、閉鎖プレート４２によって、閉じられている。天井部材４０も、スペーサ押縁によって互いに間隔をあけて結合（接着）されている２つのパネルからなっている。
【００３９】
図６および７が示すように、外壁部材１０の中空空間を通って流れる、暖められた空気を、屋根部材５０に流入させるための、そこでも熱損失を補償するための、従って、屋根領域でのＫ値を減少し、あるいは好ましくはゼロに下げるための、措置を講じることができる。このことを達成するために、図６および７が示すように、屋根部材５０の下方パネル５１に空隙５２が設けられている。それ故に、屋根部材５０の複数のパネルの間の中空空間が、複数の壁部材１０の間の中空空間１３と連通している。屋根部材５０の複数のパネルの間の中空空間は、壁部材１０の外側のパネル１１の領域で、プレート５３によって閉じられている。
【００４０】
かくて、敷居２０の領域に設けられた暖房手段３０によって放出される熱の流れが、複数の外壁部材１０の中空空間１３を通って屋根部材５０の中空空間まで流れるのを、天井部材４０によって妨げられないことが保証されている。かようにして、本発明に係わる建物の外壁全体を「絶縁する」ことが可能である。それ故に、熱損失は、壁部材１０と、天井部材４０と屋根部材５０とによって形成される、建物の外層によって、防止される。
【００４１】
図８および９は、夫々、斜視図および断面図で、棟領域で２つの当接している屋根部材（部分的に図示）５０のデザインを示し、そこでも、屋根部材５０の複数の中空空間が互いに連通していることを示している。図１０ないし１３は、外壁部材１０と、天井部材４０と屋根部材５０とを有している本発明に係わる建物の隅を示している。図１０ないし１３が示すように、外壁部材１０に形成された中空空間が、屋根部材５０に形成された中空空間と連通することができる。何故ならば、適切な空隙４１および５２が天井部材４０および屋根部材５０の縁部領域に設けられているからである。
【００４２】
暖房手段３０を有し、壁部材、例えば外壁部材１０が載置されている敷居の、図１４に示された実施の形態では、暖房手段３０が、Ｕ型締具６１によって、長手方向に延びている支持体６０に取り付けられている。Ｕ型締具６１の脚部は支持体６０に取り付けられている。
【００４３】
支持体６０自体は異形押縁（Profilleiste）６２によって支持されている。異形押縁はウェブ６３と、このウェブから上方に突出している２つの脚部６４とを有している。脚部６４は、突出部６５（長手方向に延びているリブまたはノッブ）を介して、長手方向に延びている支持体６０の側面に接触している。異形押縁６２は、絶縁層６０を介して、絶縁層の下側に設けられた構成部材に載置されている。
【００４４】
図１４に示された敷居は、壁部材１０の下側に設けられている。それ故に、暖房手段３０、特に、暖房手段の管３２が、壁部材１０の複数のパネル１１の間の中空空間１３に位置している。
【００４５】
暖房手段３０を有している敷居のこのタイプの配列のための使用例が、図１５ないし１７に示されている。
【００４６】
要約すれば、本発明の実施の形態を以下のように説明することができる。
【００４７】
建物は２層に形成された壁部材１０および天井部材４０と、同様に２層に形成されている天井部材５０とからなっている。壁部材１０の下端は敷居２０に立設されている。敷居には、暖房手段３０が設けられている。暖房手段３０は、壁部材１０の、天井部材４０のおよび屋根部材５０の複数のパネル１１の間の中空空間１３に多くの熱を放出する。それ故に、建物の外層による熱伝導によって失われる熱は、少なくとも部分的に、特に完全に補償される。
【００４８】
結果的には、建物の外壁および／または屋根部材による熱伝導がゼロにまたはほとんどゼロに減少される。
【図面の簡単な説明】
【００４９】
【図１】２つの上下に重ねて立てられる壁部材からなる、発明に係わる建物の壁部材を、部分断面図で示している。
【図２】壁部材の詳細を拡大して示している。
【図２ａ】変更の実施の形態の壁部材の詳細を拡大して示している。
【図２ｂ】壁部材の他の実施の形態を示している。
【図２ｃ】壁部材の敷居の領域における第３の実施の形態を示している。
【図３】壁部材を斜視図でかつ部分切取図で示している。
【図４】天井部材が壁部材に接続している接続領域を斜視図でかつ部分切取図で示している。
【図５】図４の垂直断面を示している。
【図６】屋根部材が壁部材に接続している接続領域を斜視図でかつ部分切取図で示している。
【図７】図６の垂直断面を示している。
【図８】棟領域で互いに隣接している２つの屋根部材を斜視図でかつ部分切取図で示している。
【図９】図８の垂直断面を示している。
【図１０】角継手で互いに隣接しておりかつ天井部材および屋根部材からなる２つの壁部材を、斜視図で示している。
【図１１】図１０の角部分を分解図で示している。
【図１２】斜め下から見た、図１０の隅を示している。
【図１３】図１２の隅の図を分解図で示している。
【図１４】壁部材の下方領域における他の実施の形態を示している。
【図１５】図１４に示した実施の形態のための組立の例を示している。
【図１６】図１４に示した実施の形態のための他の組立の例を示している。
【図１７】図１４に示した実施の形態のための第３の組立の例を示している。
【図１】
2006507432.tif 000003
【図２】
2006507432.tif 000004
【図２ａ】
2006507432.tif 000005
【図２ｂ】
2006507432.tif 000006
【図２ｃ】
2006507432.tif 000007
【図３】
2006507432.tif 000008
【図４】
2006507432.tif 000009
【図５】
2006507432.tif 000010
【図６】
2006507432.tif 000011
【図７】
2006507432.tif 000012
【図８】
2006507432.tif 000013
【図９】
2006507432.tif 000014
【図１０】
2006507432.tif 000015
【図１１】
2006507432.tif 000016
【図１２】
2006507432.tif 000017
【図１３】
2006507432.tif 000018
【図１４】
2006507432.tif 000019
【図１５】
2006507432.tif 000020
【図１６】
2006507432.tif 000021
【図１７】
2006507432.tif 000022
【手続補正書】
【提出日】平成16年6月7日(2004.6.7)
【手続補正１】
【補正対象書類名】特許請求の範囲
【補正対象項目名】全文
【補正方法】変更
【補正の内容】
【特許請求の範囲】
【請求項１】
外壁部材（１０）、屋根部材（５０）および場合によっては天井部材（４０）からなる建物であって、少なくとも前記外壁部材（１０）は２層に形成されており、かつ複数のパネル（１１）を有し、これらパネルは、スペーサ部材（１２）によって互いに間隔をあけて互いに接続されており、前記外壁部材（１０）に少なくとも１つの中空空間（１３）を形成し、前記外壁部材（１０）の下方領域で、前記外壁部材（１０）の複数のパネル（１１）の間の前記中空空間（１３）に、前記外壁部材（１０）の前記中空空間に熱を供給する手段（３０）が設けられており、
この熱を供給する手段（３０）は、敷居（２０）のみに設けられており、この敷居には前記外壁部材（１０）が立設されていること（図２）を特徴とする建物。
【請求項２】
前記敷居（２０）は、Ｕ字形の横断面形状を有していること、および前記外壁部材（１０）の前記パネル（１１）は、前記敷居（２０）の、上向きの脚部（２２）に立設されていること（図２）を特徴とする請求項１に記載の建物。
【請求項３】
前記暖房手段（３０）は、棒状の熱源（３１）を有していること（図２）を特徴とする請求項１または２に記載の建物。
【請求項４】
前記棒状の熱源（３１）は、電気的な抵抗加熱用棒または加熱ワイヤであること特徴とする請求項３に記載の建物。
【請求項５】
前記棒状の熱源（３１）は、熱媒体が貫流される管（３２）であること（図２）を特徴とする請求項３に記載の建物。
【請求項６】
前記棒状の熱源（３１）は、実質的にＵ字形のホルダー（３３）に挿入されており、このホルダーは前記敷居（２０）の上向きの中空空間に挿入されていること（図２）を特徴とする請求項３または４に記載の建物。
【請求項７】
前記敷居（２０）の前記ホルダー（３３）とウェブ（２１）との間には、絶縁層（３４）が設けられていること（図２）を特徴とする請求項６に記載の建物。
【請求項８】
前記棒状の熱源（３１）のための上向きの収容空間（３６）の脇に設けられた、前記ホルダー（３３）の端面（３５）は、前記敷居（２０）の前記脚部（２２）に向かって傾斜した状態で整列されていること（図２）を特徴とする請求項６または７に記載の建物。
【請求項９】
前記外壁部材（１０）に接続する前記天井部材（４０）の領域には、複数の開口部（４１）が設けられていること（図４，５）を特徴とする請求項１ないし８のいずれか１に記載の建物。
【請求項１０】
前記開口部（４１）は、前記天井部材（４０）のパネルに設けられていることを特徴とする請求項９に記載の建物。
【請求項１１】
前記天井部材（４０）の側方端部は、プレート（４２）によって閉じられていること（図４，５）を特徴とする請求項９または１０に記載の建物。
【請求項１２】
前記屋根部材（５０）の、使用位置が下方のパネルには、複数の空隙（５２）が設けられていること（図６，７）を特徴とする請求項１ないし１１のいずれか１に記載の建物。
【請求項１３】
前記屋根部材（５０）の側方端部は、プレート（５３）によって閉じられていること（図６，７）を特徴とする請求項１２に記載の建物。
【請求項１４】
前記閉鎖プレート（４２）または（５３）は、前記壁部材（１０）の前記外側パネル（１１）と一直線に並んでいること（図４ないし７）を特徴とする請求項１１または１３に記載の建物。
【請求項１５】
前記暖房手段（３０）の前記管（３２）は、前記敷居（２０）の領域で、ホルダー（６１）によって、前記壁部材（１０）の前記中空空間（１３）の下方領域に設けられた長手方向に延びている支持体（６０）に取り付けられていること（図１４）を特徴とする請求項１ないし１４のいずれか１に記載の建物。
【請求項１６】
前記支持体（６０）は、異形押縁（６２）に保持されていること（図１４）を特徴とする請求項１５に記載の建物。
【請求項１７】
前記異形押縁（６２）は、水平方向のウェブ（６３）を有し、このウェブには、前記壁部材（１０）の前記パネル（１１）の下端に立設されていることを特徴とする請求項１６に記載の建物。
【請求項１８】
前記異形押縁（６２）は、前記水平方向のウェブ（６３）から突出する複数の脚部（６４）を有し、これらの脚部の間には、前記長手方向に延びている支持体（６０）が設けられていること（図１４）を特徴とする請求項１６または１７に記載の建物。
【請求項１９】
前記脚部（６４）は、突出部（６５）を介して、前記長手方向に延びている支持体（６０）の側面に接触していること（図１４）を特徴とする請求項１８に記載の建物。
【請求項２０】
前記突出部（６５）は、長手方向に延びているリブであることを特徴とする請求項１９に記載の建物。
【請求項２１】
前記突出部（６５）は、ノッブ状の突出部であることを特徴とする請求項２０に記載の建物。
【国際調査報告】
2006507432.tif 000023
2006507432.tif 000024
2006507432.tif 000025
2006507432.tif 000026
2006507432.tif 000027
2006507432.tif 000028